(57)【要約】【課題】別途の携帯電話の補助充電器を携帯電話に直接接続させて携帯電話の使用を可能にすると共に、アクセサリーとしても用いることができるようにする。【解決方法】本発明の携帯電話接続用補助充電器は、正方形又は長方形の外形をなすボディー１００と、該ボディー１００の一面に写真が付着できるように溝１２０が形成され、この溝１２０に透明板２２０がカバーされて形成される額縁部２００と、ボディー１００内に設けられ、一面に充電バッテリー３６０と、携帯電話と直接接続され電力を供給しボディー１００の外部に露出するジャック部３２０と、外部電源を介して充電バッテリー３６０を充電しボディー１００の外部に露出するピン部３４０とが搭載されて回路５００を介して接続される基板３００と、ボディー１００をカバーしてボディー１００に結合され、外側にリングが掛けられるように引掛孔４２０を形成して構成された透明な素材の筐体４００とを備える。【選択図】図２
2008199797.tif 000002
【特許請求の範囲】
【請求項１】
正方形又は長方形の外形をなすボディー（１００）と、
前記ボディー（１００）の一面に写真が付着できるように溝（１２０）が形成され、この溝（１２０）に透明板（２２０）が取り付けられて形成される額縁部（２００）と、
前記ボディー（１００）内に設けられ、一面に、充電バッテリー（３６０）と、携帯電話と直接接続され電源を供給し前記ボディー（１００）の外部に露出するジャック部（３２０）と、外部電源を介して充電バッテリー（３６０）を充電し且つ前記ボディー（１００）の外部に露出するピン部（３４０）とが搭載されて回路（５００）を介して接続される基板（３００）と、
前記ボディー（１００）をカバーして結合され、外側にリングが掛けられるように引掛孔４２０を形成して構成された透明な素材の筐体（４００）と
を備えることを特徴とする携帯電話接続用補助充電器。
【請求項２】
前記筐体（４００）が、
一面に前記ボディー（１００）が挿入されるように開放された挿入空間が形成され、該挿入空間の下側に前記ボディー（１００）のピン部（３４０）が保護できるようにピン部挿入溝（４３０）が形成され、前記挿入空間の外側に前記ボディー（１００）のジャック部（３２０）が保護できるようにジャック部内溝（４４０）が形成され、前記挿入空間の上側に、前記ボディー（１００）に形成された引掛溝（１４０）に弾力的に掛けられるように引掛ピン（４５２）を有する弾性レバー（４５０）が形成され、該弾性レバー（４５０）が接続される前記挿入空間の壁面には結合された前記ボディー（１００）を指で把持した状態で外部に押し出すことのできるように切開溝（４６０）が形成されて構成されることを特徴とする請求項１に記載の携帯電話接続用補助充電器。
【請求項３】
前記回路（５００）が、
ピン部（３４０）を介して外部電源からの電力が入力される入力部（５１０）と、
該入力部５１０を介して入力される電力を変換して充電バッテリー（３６０）を充電する第１変換部（５４０）と、
該第１変換部（５４０）を介して入力される電力を充電する充電部（５２０）と、
該充電部（５２０）の充電及び放電状態を表示する表示部（５３０）と、
前記ピン部（３４０）を介する外部電源又は前記充電部（５２０）から供給される電力を変換してジャック部（３２０）を介して供給する第２変換部（５４２）と
から構成されることを特徴とする請求項１又は２に記載の携帯電話接続用補助充電器。
【請求項４】
前記表示部（５３０）が、充電中であることを表示する赤色ランプと、充電された状態を表示する緑色ランプとであることを特徴とする請求項３に記載の携帯電話接続用補助充電器。
【発明の詳細な説明】
【技術分野】
【０００１】
本発明は、携帯電話接続用補助充電器に関し、さらに詳しくは、携帯電話充電器が携帯電話に直接接続されて携帯電話の使用を可能にし、また、写真携帯が可能なため、アクセサリーとしても用いることができる携帯電話接続用補助充電器に関する。
【背景技術】
【０００２】
通常、携帯電話は、バッテリーを装着して使用するものであって、バッテリーが放電した場合、再び充電して使用する。
【０００３】
前記の携帯電話のバッテリーを充電する充電装置には、プラグを接続することによって電力を充電する充電器、充電したバッテリーを利用する携帯用充電器、車両用のシガーソケットを利用する車両用充電器などがあり、これらの充電器が広く用いられている。
【発明の開示】
【発明が解決しようとする課題】
【０００４】
しかしながら、前記の携帯電話を使用する際、携帯電話に内蔵された充電バッテリーが使用により放電した場合、前記の充電器がなければ、充電バッテリーを充電することができないという問題点がある。
【０００５】
本発明は、上記の問題点を解決するためになされたものであって、その目的は、携帯電話のバッテリーが消耗した際、別途の携帯電話の補助充電器を携帯電話に直接接続させて携帯電話の使用を可能にし、また、携帯電話の補助充電器の外側に写真などを付着してアクセサリーとしても用いることができるようにすることにある。
【０００６】
また、他の目的は、補助充電器に入力される電力又は補助充電器の充電バッテリーから出力される電力を変換し、変換された電力を携帯電話に供給することができるようにすることにある。
【０００７】
また、さらに他の目的は、外部電源を介して補助充電器のみを別途に充電、又は、補助充電器が携帯電話に接続された状態で、補助充電器のバッテリー、そして、携帯電話のバッテリーを同時に充電することのできるようにすることにある。
【課題を解決するための手段】
【０００８】
上記の目的を達成するために、本発明は、正方形又は長方形の外形をなすボディーと、前記ボディーの一面に写真が付着できるように溝が形成され、この溝に透明板がカバーされて形成される額縁部と、前記ボディー内に設けられ、一面に充電バッテリーと、携帯電話と直接接続され電力を供給し前記ボディーの外部に露出するジャック部と、外部電源を介して前記充電バッテリーを充電し且つ前記ボディーの外部に露出するピン部とが搭載されて回路を介して接続される基板と、前記ボディーをカバーし、かつ、前記ボディーに結合され、外側にリングが掛けられるように孔を形成して構成された透明な素材の筐体とを備える。
【０００９】
ここで、前記筐体は、一面に前記ボディーが挿入されるように開放された挿入空間が形成され、該挿入空間の下側に前記ボディーのピン部が保護されるようにピン部挿入溝が形成され、前記挿入空間の外側に前記ボディーのジャック部が保護できるようにジャック部の内溝が形成され、前記挿入空間の上側に、前記ボディーに形成された引掛溝に弾力的に掛けられるように引掛ピンを有する弾性レバーが形成され、該弾性レバーが接続される前記挿入空間の壁面には結合された前記ボディーを外部に露出するように切開溝が形成されて構成される。
【００１０】
そして、前記回路は、ピン部を介して外部電源からの電力が入力される入力部と、該入力部を介して入力される電力を充電バッテリーに充電する充電部と、該充電部の充電及び放電状態を表示する表示部と、前記ピン部を介する外部電源又は前記充電部から供給される電力を変換してジャック部を介して供給する変換部とから構成することが可能である。
【発明の効果】
【００１１】
本発明に係る携帯電話接続用補助充電器は、携帯電話のバッテリーが消耗した際、別途の携帯電話の補助充電器を携帯電話に直接接続して携帯電話を使用することができるようにし、また、携帯電話の補助充電器の外側に写真などを付着して、アクセサリーとしても用いることができるという効果がある。
【００１２】
また、基板に形成された回路を介して外部電源によって補助充電器のみを別途に充電、又は、補助充電器が携帯電話に接続された状態で、補助充電器のバッテリーおよび携帯電話のバッテリーを同時に充電させることができるという効果がある。
【００１３】
また、補助充電器に入力される電力又は補助充電器の充電バッテリーから出力される電力を変換し、変換された電力を携帯電話に供給することができるという効果がある。
【発明を実施するための最良の形態】
【００１４】
以下、本発明に係る携帯電話接続用補助充電器の好ましい実施例について、図面を参照しながら詳しく説明する。
【００１５】
図１〜図５に示すように、本発明は正方形又は長方形の外形をなすボディー１００、このボディー１００の一面に設けられる額縁部２００、前記ボディー１００に設けられ、外部電源の供給又は充電された電源を携帯電話に直接接続する回路５００を構成する基板３００及び、前記ボディー１００の一側をカバーして保護する筐体４００で構成される。
【００１６】
前記ボディー１００は、合成樹脂材で構成され、その外形は正方形又は長方形などで構成され、内部に空間が形成されるように上下一対が結合されて構成される。
【００１７】
そして、前記ボディー１００には、一面に額縁部２００が設けられており、該額縁部２００には、写真が付着され得るように前記ボディー１００の一面に溝１２０が形成されている。この溝１２０には、透明板２２０が取り付けられ、透明板２２０によってカバーされる。
【００１８】
この溝１２０に写真などを付着させ、この写真に透明板２２０を接着して使用することができる。
【００１９】
ここで、前記額縁部には、写真だけでなく、鏡、絵などを設けることも可能である。
【００２０】
また、前記ボディー１００の内部には、基板３００が設けられている。該基板３００は、一面に、充電バッテリー３６０と、携帯電話と直接接続されて電力を供給し、かつ、前記ボディー１００の外部に露出するジャック部３２０と、外部電源を介して充電バッテリー３６０を充電し、かつ、前記ボディー１００の外部に露出されるピン部３４０が搭載され、回路５００を介して接続される。
【００２１】
図６又は図７に示すように、前記回路５００は、前記ピン部３４０を介して外部電源からの電力が入力される入力部５１０と、該入力部５１０を介して入力される電力を変換して充電バッテリー３６０を充電する第１変換部５４０と、該第１変換部５４０を介して入力される電力を充電する充電部５２０と、該充電部５２０の充電及び放電状態を表示する表示部５３０と、前記ピン部３４０を介する外部電源又は前記充電部５２０から供給される電力を変換してジャック部３２０を介して供給する第２変換部５４２と、変換された電力を携帯電話に供給する出力部５５０とで構成される。
【００２２】
前記入力部５１０は、ピン部３４０を介して外部電源からの電力が入力され、前記充電部５２０は、前記入力部５１０を介して入力される電力を充電バッテリー３６０に充電する。そして、前記第１変換部５４０は、入力される電力が前記充電バッテリー３６０の充電電圧と一致するように減圧させ、充電部５２０の充電バッテリー３６０を充電する。
【００２３】
前記表示部５３０は、前記充電部５２０の充電状態を、ランプの発光によって表示するが、赤色のランプは、充電中であることを表し、緑色のランプは、充電完了状態を表す。
【００２４】
そして、第２変換部５４２は、前記ピン部３４０を介する外部電源又は前記充電部５２０から供給される電力を変換してジャック部３２０を介して供給する。
【００２５】
例えば、携帯電話の入力電圧より充電バッテリー３６０の出力電圧が低い場合、これを昇圧させて出力する。
【００２６】
また、前記回路５００は、前記ジャック部３２０が携帯電話に直接接続され、そして、ピン部３４０に外部電源が接続された状態で電力が印加されると、携帯電話、及び前記基板３００に提供された充電バッテリー３６０を同時に充電することができるように構成される。
【００２７】
また、前記入力部５１０を介して入力される電力又は前記ボディー１００内の充電バッテリー３６０から出力される電力を変換し、その変換された電力を携帯電話に供給する。
【００２８】
前記筐体４００は、透明な合成樹脂材で構成され、前記ボディー１００をカバーすると共にボディー１００に結合され、外側にリングが掛けられるように引掛孔４２０が形成される。
【００２９】
前記筐体４００は、一面に、前記ボディー１００が挿入されるように開放された挿入空間が形成され、該挿入空間の下側に前記ボディー１００のピン部３４０が保護できるようにピン部挿入溝４３０が形成され、前記挿入空間の外側に前記ボディー１００のジャック部３２０が保護できるようにジャック部内溝４４０が形成される。そして、前記挿入空間の上側には、前記ボディー１００に形成された引掛溝１４０に弾力的に掛けられるように引掛ピン４５２を有する弾性レバー４５０が形成され、該弾性レバー４５０が接続される前記挿入空間の壁面には、結合された前記ボディー１００を指で把持した状態で外部に押し出すことのできるように切開溝４６０が形成される。
【００３０】
これは、前記筐体４００の挿入空間に前記ボディー１００が結合する際に、前記ボディー１００の一側に設けられたジャック部３２０を前記ジャック部内溝４４０に挿入させた状態で回動させると、前記ボディー１００に形成された引掛溝１４０に前記弾性レバー４５０の引掛ピン４５２が弾力的に掛かり、結合固定される。
【００３１】
前記筐体４００から前記ボディー１００を分離させようとするときには、親指で弾性レバー４５０を把持し、それと同時に、人差し指で前記切開溝４６０によって露出した前記ボディー１００を把持した状態で、前記弾性レバー４５０を引っ張ると、簡単に解除される。
【図面の簡単な説明】
【００３２】
【図１】本発明に係る携帯電話接続用補助充電器の分解斜視図である。
【図２】図１の携帯電話接続用補助充電器の斜視図である。
【図３】図２の携帯電話接続用補助充電器の側面を示す要部図である。
【図４】本発明に係る使用状態の一例を示す図である。
【図５】本発明に係る使用状態の他の例を示す図である。
【図６】本発明に係る回路を示す構成図である。
【図７】図６に係る基板を示す回路図である。
【符号の説明】
【００３３】
１００      ボディー
１２０      溝
１４０      引掛溝
２００      額縁部
２２０      透明板
３００      基板
３２０      ジャック部
３４０      ピン部
３６０      充電バッテリー
４００      筐体
５００      回路
５１０      入力部
５３０      表示部
５４０      第１変換部
５２０      充電部
５４２      第２変換部
５５０      出力部
【図１】
2008199797.tif 000003
【図２】
2008199797.tif 000004
【図３】
2008199797.tif 000005
【図４】
2008199797.tif 000006
【図５】
2008199797.tif 000007
【図６】
2008199797.tif 000008
【図７】
2008199797.tif 000009